【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
液体収容体を収容する液体収容体収容部と、前記液体収容体収容部内部に前記液体収容体を保持しながら挿入方向に摺動するスライダとを有する液体噴射装置に用いられる液体収容体であって、
前記液体収容体の一つの側壁に形成され、該液体収容体内の液体を外部に導出するための供給部を備え、
前記供給部が形成された側壁と交差する第１側壁に、
前記スライダを前記液体収容体の挿入方向に移動可能に前記スライダの一部と当接する当接部と、
前記スライダに設けられたロック部に係合する係合部とを備えたことを特徴とする液体収容体。
【請求項２】
請求項１に記載の液体収容体において、
前記当接部及び前記係合部は、前記供給部が形成された側壁と交差する第２側壁にも設けられていることを特徴とする液体収容体。
【請求項３】
請求項１又は２に記載の液体収容体において、
前記当接部は、液体収容体の外側に突出していることを特徴とする液体収容体。
【請求項４】
請求項１〜３のいずれか１項に記載の液体収容体において、
前記係合部は、前記第１の側壁又は前記供給部が形成された側壁と交差する第２の側壁に凹設され、前記係合部に前記ロック部を進入させることにより前記係合部及び前記ロック部を係合状態とすることを特徴とする液体収容体。
【請求項５】
請求項１〜４のいずれか１項に記載の液体収容体において、
前記当接部は、前記係合部に隣接していることを特徴とする液体収容体。
【請求項６】
請求項１〜５のいずれか１項に記載の液体収容体において、
前記当接部に形成され、前記スライダの一部と当接する当接面と、前記係合部の一面とは連続していることを特徴とする液体収容体。
【請求項７】
請求項１〜６のいずれか１項に記載の液体収容体において、
前記当接部を補強する補強手段が設けられていることを特徴とする液体収容体。
【請求項８】
請求項１〜７のいずれか１項に記載の液体収容体において、
流体を内部に導入するための導入部、記憶素子を有する回路基板、位置決め部、前記液体収容体収容部側と度当てされる度当て部の少なくとも一つが形成されていることを特徴とする液体収容体。
【請求項９】
請求項１〜８のいずれか１項に記載の液体収容体において、
前記液体収容体を構成する壁には、記憶素子を有する回路基板が配置されると共に、前記液体収容体収容部側と度当てされる度当て部が形成され、
前記液体収容体の底面から前記液体収容体の高さ方向に向かって、前記係合部と、前記回路基板と前記度当て部とが相対距離を設けて順番に配置されていることを特徴とする液体収容体。
【請求項１０】
請求項１〜９のいずれか１項に記載の液体収容体において、
前記当接部及び前記係合部は、前記液体収容体のうち、前記液体収容体の挿入方向に略平行な面であって、前記スライダと対向する面に設けられていることを特徴とする液体収容体。
【請求項１１】
請求項１〜１０のいずれか１項に記載の液体収容体において、
前記供給部が形成された前記側壁に、１対の位置決め部を備え、前記供給部は、前記各位置決め部の間に設けられていることを特徴とする液体収容体。
【請求項１２】
請求項１〜１１のいずれか１項に記載の液体収容体において、
前記供給部が形成された側壁に、廃液を前記液体収容体内に導入するための導入部が設けられるとともに、
前記導入部から導入された廃液を吸収するための吸収材が内部に備えられたことを特徴とする液体収容体。
【請求項１３】
上壁、底壁、前壁、背壁、第１側壁及び第２側壁を有するインクカートリッジにおいて、
１つ又は複数のインク供給部が前記前壁に形成され、
１つ又は複数のインク収容部が前記インクカートリッジ内に設けられ、前記インク収容部は前記インク供給部に連通し、
第１の凹部が、前記第１側壁に形成されるとともに、
第１の突部が、前記第１側壁に突出形成されていることを特徴とするインクカートリッジ。
【請求項１４】
上壁、底壁、前壁、背壁、第１側壁及び第２側壁を有するインクカートリッジにおいて、
１つ又は複数のインク供給部が前記前壁に形成され、
１つ又は複数のインク収容部が前記インクカートリッジ内に設けられ、前記インク収容部は前記インク供給部に連通し、
第１の凹部及び第１の突部が、前記第１側壁に形成され、
第２の凹部及び第２の突部が、前記第２側壁に形成され、
回路基板を配置するための第３の凹部が前記インクカートリッジのいずれかの面に形成されるとともに、
前記第１の突部は、前記第１の凹部に隣接し、前記第２の突部は、前記第２の凹部に隣
接し、前記第３の凹部は、前記第３の凹部に設けられた前記回路基板を外部から接触可能にするための開口を前記前壁に備えていることを特徴とするインクカートリッジ。
【請求項１５】
前壁、背壁、上壁及び底壁と、第１の開口を有する第１側壁と、第２側壁とを有し、
前記インクカートリッジ内に設けられた、１つ又は複数のインク収容部及び廃インク収容部と、
前記前壁に形成された、前記インク収容部と連通するインク供給部及び前記廃インク収容部と連通する導入部と、
前記第１側壁の前記第１の開口と連続した第１の凹部と、前記前壁と略平行な第１の当接面を備えた第１の突部と
を備えたことを特徴とするインクカートリッジ。
【手続補正２】
【補正対象書類名】明細書
【補正対象項目名】発明の名称
【補正方法】変更
【補正の内容】
【発明の名称】液体収容体及びインクカートリッジ
【手続補正３】
【補正対象書類名】明細書
【補正対象項目名】０００１
【補正方法】変更
【補正の内容】
【０００１】
本発明は、液体収容体及びインクカートリッジに関する。
【手続補正４】
【補正対象書類名】明細書
【補正対象項目名】０００８
【補正方法】変更
【補正の内容】
【０００８】
また、本発明の別の目的は、装填に必要な押し込み力が大きい場合にも着脱装置から容易に取り外すことができる液体収容体及びインクカートリッジを提供することにある。
【手続補正５】
【補正対象書類名】明細書
【補正対象項目名】０００９
【補正方法】変更
【補正の内容】
【０００９】
本発明の液体収容体は、液体収容体を収容する液体収容体収容部と、前記液体収容体収容部内部に前記液体収容体を保持しながら挿入方向に摺動するスライダとを有する液体噴射装置に用いられる液体収容体であって、前記液体収容体の一つの側壁に形成され、液体収容部内の液体を外部に導出するための供給部とを備え、前記供給部が形成された側壁と交差する第１側壁に、前記スライダを前記液体収容体の挿入方向に移動可能に前記スライダの一部と当接する当接部と、前記スライダに設けられたロック部に係合する係合部とを備えた。
【手続補正６】
【補正対象書類名】明細書
【補正対象項目名】００１０
【補正方法】変更
【補正の内容】
【００１０】
これによれば、液体収容体の側壁には、スライダの一部と当接する当接部が備えられている。また、側壁には、スライダに設けられたロック部と係合する係合部が備えられている。そして、液体収容体は、着脱装置に挿入された際に、その当接部とスライダの一部との当接によって、スライダを押圧して移動させる。また、液体収容体挿入時に、係合部とスライダのロック部とが係合することにより、液体収容体がスライダに対して固定される。このため、液体収容体をスライダによって固定しながら接続部側に移動させることができるので、液体収容体を安定した動作で接続部に接続することができる。
【手続補正７】
【補正対象書類名】明細書
【補正対象項目名】００１１
【補正方法】変更
【補正の内容】
【００１１】
この液体収容体において、前記当接部は、前記液体収容体の外側に突出している。
これによれば、当接部は液体収容体の外側に突出している。このため、液体収容体を着脱装置に挿入した際に、当接部をスライダに設けられたロック部に容易に当接させることができる。
【手続補正８】
【補正対象書類名】明細書
【補正対象項目名】００１２
【補正方法】変更
【補正の内容】
【００１２】
この液体収容体において、前記係合部は、前記第１の側壁又は前記供給部が形成された側壁と交差する第２の側壁に凹設され、前記係合部に前記ロック部を進入させることにより前記係合部及び前記ロック部を係合状態とする。
これによれば、係合部は、第１の側壁又は第２の側壁に凹設されている。この凹状の係合部と、ロック部とを係合させる際は、係合部にロック部を進入させることにより係合状態とするので、液体収容体をスライダに対し、より強固に固定することができる。
【手続補正９】
【補正対象書類名】明細書
【補正対象項目名】００１４
【補正方法】変更
【補正の内容】
【００１４】
この液体収容体において、前記当接部を補強する補強手段が設けられている。
これによれば、液体収容体には当接部を補強する補強手段が設けられている。このため、当接部にスライダの一部等が当接しても、当接部又は当接部が形成された箇所の損傷を防止することができる。
【手続補正１０】
【補正対象書類名】明細書
【補正対象項目名】００１５
【補正方法】変更
【補正の内容】
【００１５】
この液体収容体において、流体を内部に導入するための導入部、記憶素子を有する回路基板、位置決め部、前記液体収容体収容部側と度当てされる度当て部の少なくとも一つが形成されている。
【手続補正１１】
【補正対象書類名】明細書
【補正対象項目名】００１６
【補正方法】変更
【補正の内容】
【００１６】
これによれば、流体を内部に導入するための導入部、記憶素子を有する回路基板、位置決め部、着脱装置側と度当てされる度当て部の少なくとも一つが形成されている。このため、液体収容体の機能性を向上させることができる。
【手続補正１２】
【補正対象書類名】明細書
【補正対象項目名】００１７
【補正方法】変更
【補正の内容】
【００１７】
この液体収容体において、前記液体収容体を構成する壁には、記憶素子を有する回路基板が配置されると共に、前記液体収容体収容部側と度当てされる度当て部が形成され、前記液体収容体の底面から前記液体収容体の高さ方向に向かって、前記係合部と、前記回路基板と前記度当て部とが相対距離を設けて順番に配置されている。
【手続補正１３】
【補正対象書類名】明細書
【補正対象項目名】００１８
【補正方法】変更
【補正の内容】
【００１８】
これによれば、前記液体収容体を構成する壁には、記憶素子を有する回路基板が配置されると共に、度当て部が形成され、底面から高さ方向に向かって、係合部と、回路基板と度当て部とが相対距離を設けて順番に配置されている。つまり、液体収容体を、係合部及びロック部の係合と、液体噴射装置側との度当て部によって支持するので、回路基板が液体噴射装置側の端子配設部に押し付けられる方向にモーメントがかかり、回路基板と端子配設部との接続を安定させることができる。
【手続補正１４】
【補正対象書類名】明細書
【補正対象項目名】００１９
【補正方法】変更
【補正の内容】
【００１９】
この液体収容体において、前記当接部及び前記係合部は、前記液体収容体のうち、前記液体収容体の挿入方向に略平行な面であって、前記スライダと対向する面に設けられている。
【手続補正１５】
【補正対象書類名】明細書
【補正対象項目名】００２０
【補正方法】変更
【補正の内容】
【００２０】
これによれば、当接部及び係合部は、液体収容体において、液体収容体の挿入方向に略平行な面であって、スライダと対向する面に設けられている。このため、液体収容体が挿入された際に、スライダを当接部に容易に当接させることができる。